(57)【要約】      （修正有）【課題】専門知識が必要でなく、簡単に情報を印刷できる機能を提供する。【解決手段】情報技術（Ｅｘｃｅｌ  ＶＢＡ）を使ったプログラミング・システム。Ａ４，Ａ５，Ｂ５など、印刷サイズを選択できるように「ラジオボタン」を設置。また、１度のクリックで印刷作業が行えるよう、印刷ボタンを設置。印刷ボタンクリック時に、印刷範囲内にある文字およびレイアウトを、選択された印刷サイズの用紙１枚に収まるようページ設定を下記のとおりに設定。・拡大縮小印刷：ページ数にあわせて印刷（横１Ｐ×縦１Ｐ）・印刷範囲：セル番号にて指定（Ａ２〜ＡＴ４７）。また、１つのＥｘｃｅｌファイル内に複数のシートがある場合、印刷ボタンクリック時に全てのシートの印刷も行えるようにする。以上の動作をＶＢＡにて実装する。【選択図】図１
2012008991.tif 000002
【特許請求の範囲】
【発明の詳細な説明】
発明の名称
携行手帳の印刷最適化システム
各個人入力の各種ダイアリー類・システム手帳を印刷を、簡単にして携行しやすくした、自己管理システム。
●背景
現在、個人の予定管理は大きくほぼ２分されます。  すなわち、従来の「市販手帳」類と、無料オンラインサイト等による「スケジュール機能」です。
携帯メールやパソコン（電子計算機  以降パソコンと表記）が１人に１台以上の普及率となった現在においては、オンライン・スケジュール機能、すなわち手書きでは無く「キーボード入力」は便利で、コストも廉価です。しかしながら、ネット接続中でなければページさえ見ることが出来ないビジネスモデル（＊あ）であるため、その記入には、常時オンライン接続状態、又は、▲１▼パソコンを起動し、▲２▼ネットに接続し、▲３▼マウス等で時間を入力する、など、手間と時間が必要であり、携帯性と緊急性に乏しく、未だ常用に適していない不便さです。
そのため、無料で便利である触れ込みにも関わらず、８０％（＊い）近くのスケジュール利用者がオンラインではない手帳を利用しています。
オンラインのスケジュール管理機能は、オンライン利用を想定しているため印刷には不向きで、文字量が増えるとＡ４複数ページに渡ったり、ページの他部詳細が表示されないなど、見づらく、印刷しての携帯性・便利性は乏しいものです。
また、オンラインの機能は、個人の日記や予定という究極のプライバシーが、「無料」の名の元に、業者の巨大なサーバーに蓄積され、利用者の意識が希薄なまま、商用に利用（＊う）されていたりするようです。
そして、毎日１から２ページのシステムダイアリーは、３６５から見開きで７３０ページにも及び、価格も数万円もする、「重く」「高価」なものです。
●発明の効果
「ＰＤＰＳ」は、
・システム手帳用では高額な「リフィール（替え用紙）」を、自分で簡単に印刷できる。
・手書きでは無くキーボード入力の為、記載が早く、履歴や情報の並び替えなど、管理や加工が容易に出来る。
・究極の個人情報をオンラインでアップロードして、危険にさらすことがない。
・オンラインでなくとも、自分のパソコン内や携帯等で管理出来る。
・不要なページは印刷や携行せず、必要な部分のみ必要なサイズに印刷して使用可能であり、大変エコである。
・携帯手帳の携行性と、キーボードの入力しやすさ、双方の利点を兼ね備え、多忙な現代人の自己管理に寄与するダイアリーシステム。
●発明を実施する為の形態
形態：情報技術を使ったプログラミング・システム。
年間、月間、週などの本人・家族・会社の予定が、毎日の予定に同期をとる基本行程以外に毎日の実働、体調や収支なども、週・月間・年間に集計され同期と共に分析される。
また分析結果は潜在意識を動かす＊視認性の高いグラフとなって表示される。
それら、複数の情報が混在した１ページを、Ａ４、Ｂ５などシステム・バインダーに合わせたサイズで印刷出来得るように情報技術を用いてＳＥさんがプログラム。
●具体的手法の技術
わからん
＝＝＝＝＝＝＝＝＝＝＝＝＝＝＝＝＝＝＝＝＝＝＝＝＝＝＝＝＝＝＝＝＝＝＝＝＝＝＝
＊
う：広告収入を得たいため、オンライン接続訪問による記入等を
2012008991.tif 000003
【手続補正書】
【提出日】平成22年9月30日(2010.9.30)
【手続補正３】
【補正対象書類名】特許請求の範囲
【補正対象項目名】全文
【補正方法】追加
【補正の内容】
【特許請求の範囲】
【請求項１】
ダイアリー類の頁印刷時に於いて、Ａ４・Ｂ５などサイズの「印刷範囲設定」をせずともＡ４、Ｂ５等「ボタン」を１度クリックするだけで容易にそのサイズ印刷をするシステム。
【手続補正４】
【補正対象書類名】明細書
【補正対象項目名】全文
【補正方法】変更
【補正の内容】
【発明の詳細な説明】
【技術分野】
【０００１】各個人が自己を管理する為に入力する各種ダイアリー類及びシステム手帳類のフォーム印刷を至便にし、自己管理の為の携行を容易とした印刷システム。
【背景技術】
【０００２】現在、個人のスケジュール管理技法は大きくほぼ２分されます。すなわち手帳等に筆記具で記入する「アナログ管理」と、ＩＴシステムを使いオンラインのインターネット・サイトに入力する「デジタル管理」です。  携帯メールや電子計算機（以降パソコンと表記）の普及率が１人１台以上になった現在において「オンライン・スケジュール機能」すなわち手書きでは無く「キーボード入力」は至便で、コストも廉価です。しかしながら、ネット接続中でなければページさえ見る事が出来ないビジネスモデルであるため、携帯性と緊急性に非常に乏しく、常用に適さない不便さです。（その記入にはパソコンなどを常時オンライン接続状態か、又は▲１▼パソコンを起動、▲２▼ネットに接続し、▲３▼マウス等で時間を入力するなど、手間と時間が必要なのです）その為、オンラインのスケジュール管理には無料があるにも関わらず、スケジュール管理利用者の約８割が「オンライン」でなく「手帳」を利用していると言われています。【０００３】オンラインのスケジュール管理機能は、オンライン端末利用を想定しているため、スクロールしなければ見られないなど俯瞰出来ず、印刷には不向きです。印刷しても「文字量が増えるとＡ４複数ページに渡る」「ページの他部詳細が表示されない」など、見づらく印刷しての携帯性・利便性が非常に乏しいものです。またオンラインのスケジュール機能は、個人の日記や予定という究極のプライバシーが、「無料」等の名の元に業者の巨大なサーバーに蓄積され、利用者の意識が希薄なまま、商用利用される危険性も高いものです。【０００４】印刷に当たっては、各パソコンとプリンターによって設定が異なるため、外出先から違うパソコン等や印刷機を使い「内容を網羅し、一定サイズに印刷」する為には、知識も必要ですし、印刷設定を毎回調製しなければいけないという手間がかかりました。また、自分のパソコンなど端末と印刷機でも、Ａ４をＢ５などサイズ変更するには設定をその度に変える手間が必要でした。
【発明の効果】
【０００５】「Ｐ＆Ｐ」は、
１、高額なシステム手帳用補充差し替え用紙を、自分で簡単に印刷できる。
２、手書きでは無くキーボード入力のため記載が早く、履歴や情報の並び替えなど、管理や加工が容易に出来る。
３、究極の個人情報をオンラインでネット上に公開し、危険にさらすことがない。
４、オンラインでなくとも自分のパソコンや携帯端末等に保存し、閲覧修正・管理が容易。
５、不要ページは印刷や携行せず、必要な頁のみ必要サイズに印刷して携行可能であり、無駄がなく経済的。
６、不要ページを印刷しない為、破棄分が最小で大変自然に優しいエコに貢献する。
など、携帯手帳の「携行性」と、キーボードの「入力しやすさ」という双方利点を併せ持ち、多忙な現代人の「自己管理に寄与するダイアリー」の為の「印刷システム」です。
【発明を実施するための形態】
【０００６】    形態：情報技術を使ったプログラミング・システム。
手帳本文は、年間・月間・週などの本人・家族・会社等の予定や実働がグラフとなるなど複数の情報が網羅された各１頁です。その頁を、各個人が保有するシステム・バインダーに合わせたＡ４、Ｂ５など利便性の高いサイズの「ボタン選択」をし、１回クリックするのみでの印刷を実現させます。
【具体的手法の技術】
【０００７】当システムでは、プログラミング言語「ＶＢＡ」を用いて「サイズ調整」および「印刷」を指示し、印刷作業の自動化を実装します。
【図面の簡単な説明】
【０００８】
【図１】まず使用者はＣＤ、又はネットのサイトにアクセスして手帳本文のフォーム等を入手します。それは各個人のパソコン携行端末などに保存可能で、インターネットに接続していなくても個人の予定管理や確認が可能です。各人は普段使用する自宅や職場など自分のパソコンと「サイズ別印刷範囲指定」が設定済印刷機から以外にも、外出先で「サイズ別印刷範囲指定」設定していない印刷機から、フォームに設置してある「サイズボタン」を１回押すだけで、そのサイズが最適化された印刷が可能です。
【手続補正５】
【補正対象書類名】図面
【補正対象項目名】全図
【補正方法】追加
【補正の内容】
【図１】
2012008991.tif 000004